(57)【要約】  薬剤液体（１４）を送出するためのディスペンサー（１０）であって、ハウジング（１１，５０，５２，５４，５６）；ハウジング内に配置されている液体貯蔵器（１２）；出口開口（２４）であって、それを通して液体（１４）が周囲雰囲気中に排出されることができるもの；液体貯蔵器（１２）を出口開口（２４）に連結する出口通路（２２）；及び出口通路（２２）に配置されている出口弁（３０）、但し、出口弁（３０）は圧力依存態様で開口されることができるか、または手動で作動されることができ、出口弁（３０）の閉鎖により出口通路を、出口弁（３０）の上流の第一部分（２２ａ）と出口弁（３０）の下流の第二部分（２２ｂ）に分割する；を持つものにおいて、ハウジング（５０）が、液体と接触することを意図されている表面の領域で抗菌性設計を持ち、さらに表面が、この抗菌性設計を持つハウジングの第二部分（２２ｂ）の領域及び／または外表面（４０，５０，５２，５４，５６）の領域の表面のみであることを特徴とする。【選択図】  図２
2015504393.tif 000002
【特許請求の範囲】
【請求項１】
薬剤液体（１４）を送出するためのディスペンサー（１０）であって、
−  ハウジング（１１，５０，５２，５４，５６）、
−  ハウジング内に配置されている液体貯蔵器（１２）、
−  出口開口（２４）であって、それを通して液体（１４）が周囲雰囲気中に排出されることができるもの、
−  液体貯蔵器（１２）を出口開口（２４）に連結する出口通路（２２）、及び
−  出口通路（２２）に配置されている出口弁（３０）、但し、出口弁（３０）は圧力依存態様で開口されることができるか、または手動で作動されることができ、出口弁（３０）の閉鎖により出口通路を、出口弁（３０）の上流の第一部分（２２ａ）と出口弁（３０）の下流の第二部分（２２ｂ）に分割する、
を持つものにおいて、
ハウジング（５０）が、液体と接触することを意図されている表面の領域で抗菌性設計を持ち、さらに表面が、この抗菌性設計を持つハウジングの第二部分（２２ｂ）の領域及び／または外表面（４０，５０，５２，５４，５６）の領域の表面のみであることを特徴とするディスペンサー（１０）。
【請求項２】
ディスペンサーが、液滴ディスペンサーの形で設計され、出口開口（２４）を包囲して、分離縁（４２）によって外側に結合されている液滴形成表面（４０）を持つことを特徴とする請求項１に記載のディスペンサー（１０）。
【請求項３】
出口通路（２２）の第二部分（２２ｂ）が、少なくとも部分的に抗菌性挿入体（５２）によって形成され、抗菌性挿入体（５２）が、第一部分（２２ａ）及び弁（３０）の機能部分とは別個である構成要素の形で設計されていることを特徴とする請求項１または２に記載のディスペンサー（１０）。
【請求項４】
挿入体（５２）が、出口開口（２４）を通して、液体の出口方向（２ｂ）に対して逆に、ハウジング（５０）の凹所（５０ａ）中に押し込まれ、前記凹所が挿入体の外部形状に適合されていることを特徴とする請求項３に記載のディスペンサー（１０）。
【請求項５】
挿入体（５２）が、少なくとも部分的に液滴形成表面（４０）を規定することを特徴とする請求項３または４に記載のディスペンサー（１０）。
【請求項６】
ハウジングが抗菌性アタッチメント（５４）を含み、それが、送出開口（２４）の領域で、ハウジング部（５０）上に押し込まれ、ハウジング部（５０）を通して第二部分（２２ｂ）が貫通することを特徴とする請求項１または２に記載のディスペンサー（１０）。
【請求項７】
アタッチメント（５４）が、少なくとも部分的に、好ましくは完全に、液滴形成表面（４０）を形成することを特徴とする請求項６に記載のディスペンサー（１０）。
【請求項８】
第二部分（２２ｂ）が多孔性挿入体（５６）を含み、多孔性挿入体（５６）が、液体が出口弁（３０）から出口開口（２４）に送出されるときに多孔性挿入体（５６）を通して流れる液体を持つことを特徴とする請求項１または２に記載のディスペンサー（１０）。
【請求項９】
抗菌性設計が、プラスチック材料中に導入される添加剤によって作られることを特徴とする請求項１〜８のいずれかに記載のディスペンサー（１０）。
【請求項１０】
抗菌性設計が、ハウジングの外表面及び／または出口通路の第二部分が抗菌的に活性な被覆を与えられるか、または物理的処理を受けたことで作られることを特徴とする請求項１〜８のいずれかに記載のディスペンサー（１０）。
【発明の詳細な説明】
【技術分野】
【０００１】
本発明は、薬剤液体を送出するためのディスペンサーに関する。かかるディスペンサーは、ハウジング、ハウジング内に配置されている液体貯蔵器、液体が周囲雰囲気中に排出されることができる出口開口、液体貯蔵器を出口開口に連結する出口通路、及び圧力依存態様で開かれることができるか、または手動で作動されることができ、かつ出口通路に配置されている出口弁を含み、出口弁の閉鎖により、出口弁は、出口通路を出口弁の上流の第一部分と出口弁の下流の第二部分に分割する。
【背景技術】
【０００２】
上述のタイプのディスペンサーは、従来技術から一般的に知られている。それらは液体貯蔵器を持ち、それから液体は出口開口の方向に送出されることができ、これは多数の異なる機構によって行なわれることが可能である。従って、液体貯蔵器はスクイーズボトルの形で設計されることが可能であり、その内容物は、壁が変形される結果として圧力にさらされることができる。また、別個のポンプ装置を使用することも可能である。上述のタイプのディスペンサーは出口弁を持つ。これは、出口開口の直ぐ上流の液体の経路に配置される弁である。それは、通常、圧力依存態様で開かれることができる出口弁であり、この弁は、液体貯蔵器内の液体、またはそこから除去された少量が圧力を受けた結果として開かれ、周囲に対して対応する正圧が除かれるとすぐに再度自動的に閉じる。しかし、ここでは、原理的には他のタイプの弁を使用することも可能である。従って、例えば、液体貯蔵器内の液体に対して永久的な圧力にさらされるようにすること、そしてディスペンサーに対して出口弁を開くように手動で作動されることができるハンドルを用いて取り扱われることが可能である。
【０００３】
上述のタイプのディスペンサーの領域において、出口弁は、いったん閉じられたら、出口通路の第二部分中を通過した液体、または出口通路の外側の出口開口の環境内に残った液体がディスペンサー中に戻されることを許さない。これは、液体残留物が中に戻された結果としての液体貯蔵器の内容物のいかなる可能な汚染も防止する。
【０００４】
従って、残留液体は、外側から接近可能である領域内に残る。しかし、ここにも汚染の危険はある。
【０００５】
特に防腐剤を含まない液体の場合に汚染を避けるために、原理的に、ディスペンサーが液体と接触する抗菌性表面を備えることも従来技術から既に知られている。これに関する説明は、例えば米国特許第５２３２６８７号に与えられており、その例示的な実施態様は、抗菌設計の出口弁を持つディスペンサーを記載する。
【０００６】
しかし、過去において、抗菌性を持つ表面を構成することはまた、問題を起こす二次的影響を与えることが見出されている。抗菌性表面を構成する方法と手段に依存して、対応して設計された表面の構成部品が表面から分離しかつ液体中に入ることに注目すべきである。それらは、そのとき液体と一緒に送出される。これは、医学的観点から不都合である。
【発明の概要】
【０００７】
従って、本発明の目的は、液体の汚染に関連した問題が緩和されている上述のタイプのディスペンサーを提供することである。
【０００８】
これは、本発明によれば、ハウジングが、液体と接触することを意図されている表面の領域で抗菌性設計を持ち、さらにそれが、この抗菌性設計を持つハウジングの外表面の領域及び／または出口通路の第二部分の領域の表面のみであることで達成される。
【０００９】
本発明によるディスペンサーの場合、それが特にディスペンサー内に含まれる全ての液体と永久に接触しないような抗菌性設計を持つ表面のみであるということが規定される。代わりに、対応して設計された表面に由来する抗菌効果は、もっぱら出口弁の遠い側に既に配置されている液体に関連させるべきであり、従って、一方では、液体貯蔵器中に戻ることができず、他方では、出口弁の遠い側に配置されているために汚染にある程度さらされるかもしれない。
【００１０】
本発明によるディスペンサーの場合、液体貯蔵器、及び液体貯蔵器と出口弁の間の液体領域内に位置される液体は、汚染物がディスペンサー中に入ることができないように出口弁及び可能な空気入口が設計されていることで汚染に対して保護される。従って、前述の二次的影響を避けるように、ディスペンサー内の特別な殺菌性構成を省略することも可能である。そこに与えられている、細菌を殺すか、またはその生長を防ぐ表面構成により汚染に対して保護されるのは、出口弁の遠い側上の液体残留物だけである。これらの方策を組み合わせることにより特に良好な液体品質を確保することができることを見出した。
【００１１】
一例として、関連した表面の抗菌性構成を達成するために以下の選択肢が与えられる：即ち、金属形態または銀化合物の形態の銀、銀塩、塩化銀、スルファジアジン銀、酸化銀または銀合金を表面に与えることが可能である。また、ナノ金属粒子、特にナノ銀粒子を使用することも可能である。また、ビグアニド誘導体、クロロヘキシジン二酢酸またはクロロヘキシジン二グルコン酸を使用することも好都合である。また、抗病原性作用を達成するために塩化ベンザルコニウム及び塩化ステアラルコニウムのような四級アンモニウム化合物を使用することも可能である。また、好都合に使用可能な防腐作用を持つ有機染料も存在し、それらはここで使用されることができる。これらは、例えば、トルイジンブルー、メチレンブルー、ゲンチアンバイオレット及びアクリジン、及びアクリジンオレンジ及びアクリジンイエロー並びに乳酸エタクリジンのような関連活性物質を含む。ポリヘキサニドのような殺菌性ポリマーもまた可能である。さらなる選択肢は、イオン化効果を持つ金属−有機物質を含む添加剤を、付与された被膜または適切な成分の材料に与えることからなる。かかる添加剤は、例えば、同じ名前の会社により「ＳｔｅｒｉＯｎｅ」の名称の下で市販されている。
【００１２】
対応して構成される出口弁の遠い側に設けられた表面の結果として、いったん液滴が液滴ディスペンサーによって排出されたらここに残る液体残留物、特に残留液滴は、汚染から効果的に保護される。
【００１３】
特に重要な構成は、液滴ディスペンサーの形で設計されかつ液滴形成表面を持つディスペンサーと共に本発明による構成であり、液滴形成表面は、出口開口を包囲しかつ分離縁によって外側に結合されている。かかる液滴ディスペンサーの場合、前述の残留液滴は、物理的条件の結果として液滴形成表面上に不可避的に多少残る。これは、液体の汚染が特に重大な影響を目に与えるので、特に液体を目の中に導入するための液滴ディスペンサーに関しては危険である。
【００１４】
従って、本発明による構成は、特にかかる液滴ディスペンサーの場合に有利である。これは、特に液体貯蔵器が目の病気を治療するために役立つ液体で満たされている液滴ディスペンサーに当てはまる。ここでの液体は、例えば、以下の活性物質の一つを含む液体であることができる：ラニビズマブ、ラタノプロスト、トラボプロスト、シクロスポリン、ビマトプロスト、オロパタジン、ドルゾラミド、モキシフロキサシン、ブリモニジン、ヒアルロン酸、ブリンゾラミド、デキサメタゾン、レボフロキサシン、ガチフロキサシン、セルロース及びベルテポルフィン。
【００１５】
出口弁の遠い側上に配置された表面を構成する目的のために特に有利であると考えられる変形例は、出口通路の第二部分が、少なくとも部分的に抗菌性挿入体によって形成され、抗菌性挿入体が、第一部分及び弁の機能的部分とは別個である構成要素の形で設計されている。かかる挿入体は、例えば、管状または環状要素の形で与えられることができ、その内壁は、出口通路の第二部分の一部を形成する。ディスペンサーの抗菌性構成に関して与えられるかかる比較的小さな構成要素の使用は、比較的低い経費で、抗菌性挿入体を持つまたは持たない、他は構造的に同一のディスペンサーを使用すること、または使用される液体に対して特に良好な効果に適合されている挿入体を使用することを可能にする。従って、異なる適用目的に対して多少構造的に同一なディスペンサーを使用することが可能であり、そして前記ディスペンサーに対して主に挿入体に関してのみ互いに異なることが可能である。
【００１６】
前述の挿入体は、出口開口を通して、液体の出口方向とは逆に、ハウジングの凹所中に押し込まれ、前記凹所は挿入体の外部形状に適合されていることが好ましい。それは、ここに例えばラッチング連結によってここで作られることができるぴったりとした嵌合（ｆｏｒｍ  ｆｉｔ）により、さもなければ純粋に摩擦嵌合（ｆｒｉｃｔｉｏｎａｌ  ｆｉｔ）により保持されることができる。
【００１７】
ここで挿入体が、外側に配向した端側によって、液滴形成表面の一部または全液滴形成表面を同時に形成することが可能であり、従って出口通路に残る液体残留物だけでなく、液滴形成表面の領域の残留液滴もあり、それらは挿入体の抗菌性表面と直接接触状態にある。
【００１８】
抗菌性表面のキャリヤーの形の挿入体が凹所中に押し込まれるかかる溶液の代わりに、代替構成の場合に、もしハウジングが、送出開口の領域において、出口弁の第二部分が貫通するハウジング部上に押される抗菌性アタッチメントを持つなら、それもまた有利であることができる。従って、この第二構成は、前述のアタッチメントなしであっても液体を送出するために適している機能的に適したディスペンサーを提供する。しかしながら、抗菌性に関する機能性は、押し込み状態で前述のアタッチメントによって補われることができる。ラッチング連結は、アタッチメントを対応するハウジング部に固定するために与えられることができる。しかし、もしキャリヤーとして作用する前記ハウジング部の外側が少なくとも部分的に円筒形またはわずかに円錐形（角度＜３°）の設計を持つなら、従ってアタッチメントが予想位置内に純粋に摩擦嵌合により保持されるなら、有利である。
【００１９】
液滴ディスペンサーの場合に、アタッチメントは、好ましくは全液滴形成表面を形成し、その結果として、抗菌性構成の利点と共に、挿入体を交換することはまた、液滴形成表面の造形にケースごとに影響を及ぼし、そうでなければディスペンサーは変わらないままある。
【００２０】
本発明のさらなる変形例の場合には、出口通路の第二部分が、多孔性挿入体を含み、この多孔性挿入体は、それを通して流れる液体を持ち、そのとき前記液体は、出口弁から出口開口に送出される。かかる多孔性挿入体は、非常に大きな表面積を持ち、それにより残留液滴、または出口通路内に残る液体は、接触することとなり、従ってかかる多孔性挿入体の抗菌効果は非常に良好である。この挿入体は、さらに、出口弁のための機械的保護を提供し、そのタイトな閉鎖は、細菌を含まない液体貯蔵器を確保するために極めて重要である。スポンジにほぼ類似する多孔性挿入体は、弁表面に対する故意の損傷と、汚染物の浸透の両方を効果的に防止し、それらの両方は弁の完全な閉鎖を妨げる。
【図面の簡単な説明】
【００２１】
本発明のさらなる利点及び態様は、請求項から及び以下に述べられる本発明のそれらの例示的な実施態様から集められることができる。
【００２２】
【図１】図１は、本発明によるディスペンサーの全体図を示す。
【００２３】
【図１ａ】図１ａは、キャップを取り付けられた図１のディスペンサーの出口副集成部品を示す。
【００２４】
【図２】図２は、図１のディスペンサーのための異なる出口副集成部品を示す。
【図３】図３は、図１のディスペンサーのための異なる出口副集成部品を示す。
【図４】図４は、図１のディスペンサーのための異なる出口副集成部品を示す。
【発明を実施するための形態】
【００２５】
第一に、図１は本発明によるディスペンサーの全体図を示す。
【００２６】
このディスペンサー１０は、容器本体１１によって境界付けられた液体貯蔵器１２を持つ。出口副集成部品２０は、容器本体１１に取り付けられ、かつラッチング連結によって固定されている。この出口副集成部品２０は、液体を出口通路２２を通して液体貯蔵器１２から送出開口２４に向ける役割をする。断面平面図は、前記出口通路２２の最終部分のみが図１に描かれていることを示す。
【００２７】
ディスペンサー１０は、送出開口２４を下方に向けるひっくり返した位置にもたらされることによって使用される。次いで、容器本体１１の壁は、液体貯蔵器１２内の液体１４に圧力を及ぼすために圧縮される。この圧力は、液体貯蔵器１２と出口開口２４の間に設けられている出口弁３０を開放させる。出口弁３０は弁本体３２を含み、それは弁ばね３４によって弁表面３６の方向に永久に押されている。出口弁３０の上流の出口通路２２の部分２２ａ内の液体圧力が十分に高くなるとすぐに、弁本体３２は、前記圧力によって矢印２ｂの方向に変位され、出口通路２２の第二部分２２ｂ中に液体の経路を解放する。液体は、そのとき送出開口２４を通して矢印２ａの方向に向けられる。
【００２８】
示されたディスペンサー１０は、眼科目的のための液滴ディスペンサーの形で提供される。従って、送出開口２４を包囲するために、それは、分離縁４２によって外側に向けて結合されている液滴形成表面４０を持つ。
【００２９】
避けることができない態様では、通例の液滴ディスペンサーは、いったん液体が液滴形態で送出されたら、液体の残留物、いわゆる残留液滴は、前述の液滴形成表面４０の背後に、及び出口通路２２の第二部分２２ｂ内に残る。出口通路２２の第一部分２２ａ中への、または液体貯蔵器１２中への戻り流は、圧力依存態様で開放する出口弁３０のために可能でない。
【００３０】
低レベルの防腐剤しか持たないか、または全く持たない液体と共にディスペンサーを使用することが望ましいので、出口通路２２の第二部分２２ｂ内の出口弁３０の遠い側に、そして液滴形成表面４０に残る液体残留物は、病原菌によって汚染されることになる危険が特にある。この可能性は、もし迅速に乾燥される目的のためにディスペンサー１０のキャップ１６が換気開口１６ａを与えられるなら、それは液滴形成表面４０と外部環境の間の永久連結を作る。かかる換気開口１６ａは、図１ａに示されている。
【００３１】
図２〜４に提案されている出口副集成部品のそれらの構成は、それでもなお出口弁３０の遠い側の表面領域に形成されている容認できないレベルの細菌のいかなる危険も排除するのに有益である。
【００３２】
図１の構成に対応する図２の構成の場合において、円筒形開口５０ａが外部構成要素５０に与えられ、それを通して液体通路２２が貫通する。管状部の形の挿入体５２が、前記円筒形開口５０ａに挿入されている。挿入体５２が開口５０ａ中に押し込まれることによって摩擦嵌合連結が作られ、前記連結の結果として、図２に示されたその位置で挿入体５２がしっかりと残るように、挿入体５２の外表面はハウジング要素５０の開口５０ａに適合されている。しかし、その代わりに、ぴったりとした嵌合連結を与えることも可能であるだろう。
【００３３】
挿入体５２の上端側面５２ａは環状表面を形成し、それは液滴形成表面４０の一部である。それは液滴形成表面４０の主要な部分を形成する。
【００３４】
挿入体５２全体は、抗菌性材料（すなわち細菌の生長を低下する材料）から、または殺菌材料から形成される。これは、抗菌的に活性な添加剤を与えられているプラスチック材料である。
【００３５】
送出操作の完了後、残留液滴、及び第二部分２２ｂの背後に残る液体残留物は、抗菌的に活性な表面に極めて接近して残る。従って、前記液体残留物の過度の細菌汚染の危険は低い。
【００３６】
しかし同時に、挿入体５２の配置は、抗菌的に活性な表面と接触することになる出口弁３０の上流になお配置されている液体が全くないことを確実にする。まだ出口弁３０を過ぎて流れていない液体は、フィルター１８によりろ過された流入空気によって、及び出口弁３０の封止構成によって病原菌を含まないように保たれる。これは、液体貯蔵器内、または第一部分２２ａ内の液体と永久に接触状態にある抗菌性添加剤の悪影響がここでは取り除かれたことを意味する。添加剤または他の構成部分が抗菌性表面から液体中を通過する危険は全くなく、そこで悪影響を起こさない。
【００３７】
図３の構成は、挿入体５２の代わりにアタッチメント５４を与える。ハウジング構成要素５０に取り付けられているのはアタッチメント５４のみであることはもう一度当てはまり、それを通して出口通路２２は貫通し、それは抗菌的に活性なプラスチック材料から作られている。出口通路２２の第二部分２２ｂの一部、及びその分離縁４２と一緒に全液滴形成表面４０（前記縁は外側の液滴形成表面４０で終わる）は、抗菌的に活性なプラスチック材料からなる。液体貯蔵器内の液体は、もう一度、プラスチック材料に由来するいかなる添加剤も含まないまま残る。
【００３８】
図４による構成の場合において、出口通路が貫通する構成要素５０は、図２の構成の場合と同じ形状を持つ。図２の構成との差は、挿入体を収容するための開口５０ａがここでは円筒形多孔性本体５６を収容することである。この多孔性本体は、略スポンジ状構造を持ち、また、抗菌的に活性な材料から作られるかまたは続いてかかる材料から作られた被膜を備えている。ここでもまた、液滴形成表面４０（その一部は前記多孔性挿入体５６により形成されている）、及び液滴形成表面４０への液体の経路は、出口弁３０の遠い側上に残る液体残留物が許容できないほど高いレベルの汚染にさらされないように抗菌性設計を持つ。加えて、多孔性材料が肉眼で見える汚染に対して活性な保護を形成するという事実は、かかる汚染が出口弁３０自体にもはや到達できないこと、従って出口弁３０の閉鎖可能性に悪影響を及ぼさないことを意味する。出口弁に対する故意の損傷（例えば針による）であっても、もし可能であるとしても、ずっと困難になる。
【図１】
2015504393.tif 000003
【図１ａ】
2015504393.tif 000004
【図２】
2015504393.tif 000005
【図３】
2015504393.tif 000006
【図４】
2015504393.tif 000007
【手続補正書】
【提出日】平成26年9月26日(2014.9.26)
【手続補正１】
【補正対象書類名】図面
【補正対象項目名】図２
【補正方法】変更
【補正の内容】
【図２】
2015504393.tif 000008
【国際調査報告】
2015504393.tif 000009
2015504393.tif 000010
2015504393.tif 000011
2015504393.tif 000012
2015504393.tif 000013
2015504393.tif 000014